(57)【要約】【課題】電池の無駄な消耗を防ぐ携帯電話装置を提供する。【解決手段】記憶部１５の電池残量別動作設定テーブル１５１に、各回路部のうち指定した特定回路部の動作について電池部１８の電池残量に応じた動作をあらかじめ設定登録し、当該特定回路部を駆動する際に、電池残量別動作機能１７２が制御部１４において実行され、当該特定回路部の動作として電池残量別動作設定テーブル１５１に設定登録された動作を行うことにより、無駄な動作を規制し、電池部１８の電池の消耗を防ぐ。例えば、電池残量別動作設定テーブル１５１に着信動作を行う回路部の動作を設定し、着信時の電池部１８の残量が所定の残量閾値以下の場合には、発信元電話番号非通知の着信または電話帳未登録の相手からの着信または設定登録した相手以外からの着信を拒否し、一方、電池部１８の残量が前記残量閾値よりも大きい場合は、着信を許可する。【選択図】        図１
2010258553.tif 000002
【特許請求の範囲】
【請求項１】
各回路部へ電力を供給する電池を備えた携帯電話装置において、各回路部のうち指定した特定回路部の動作について前記電池の残量に応じた動作をあらかじめ設定登録する電池残量別動作設定テーブルを備え、前記特定回路部を駆動する際に、当該特定回路部は前記電池残量別動作設定テーブルに設定登録された動作を行うことを特徴とする携帯電話装置。
【請求項２】
前記電池残量別動作設定テーブルに設定登録される前記特定回路部として、着信動作を行う回路部が少なくとも含まれていることを特徴とする請求項１に記載の携帯電話装置。
【請求項３】
着信時に、当該着信時の前記電池の残量があらかじめ定めた残量閾値以下の場合は、当該着信が発信元電話番号非通知の着信であった場合、または、当該着信が電話帳未登録の相手からの着信であった場合、または、当該着信があらかじめ設定登録した特定の相手以外からの着信であった場合には、当該着信を拒否し、一方、当該着信時の前記電池の残量が前記残量閾値よりも大きい場合は、当該着信を許可することを特徴とする請求項２に記載の携帯電話装置。
【請求項４】
各回路部へ電力を供給する電池を備えた携帯電話装置の電池消耗防止方法であって、各回路部のうち指定した特定回路部の動作について前記電池の残量に応じた動作をあらかじめ設定登録する電池残量別動作設定テーブルを備え、前記特定回路部を駆動する際に、当該特定回路部は前記電池残量別動作設定テーブルに設定登録された動作を行うことを特徴とする電池消耗防止方法。
【請求項５】
前記電池残量別動作設定テーブルに設定登録される前記特定回路部として、着信動作を行う回路部が少なくとも含まれていることを特徴とする請求項４に記載の電池消耗防止方法。
【請求項６】
着信時に、当該着信時の前記電池の残量があらかじめ定めた残量閾値以下の場合は、当該着信が発信元電話番号非通知の着信であった場合、または、当該着信が電話帳未登録の相手からの着信であった場合、または、当該着信があらかじめ設定登録した特定の相手以外からの着信であった場合には、当該着信を拒否し、一方、当該着信時の前記電池の残量が前記残量閾値よりも大きい場合は、当該着信を許可することを特徴とする請求項５に記載の電池消耗防止方法。
【請求項７】
請求項４ないし６のいずれかに記載の電池消耗防止方法を、コンピュータによって実行可能なプログラムとして実施していることを特徴とする電池消耗防止プログラム。
【請求項８】
請求項７に記載の電池消耗防止プログラムを、コンピュータによって読み取り可能な記録媒体に記録していることを特徴とするプログラム記録媒体。
【発明の詳細な説明】
【技術分野】
【０００１】
本発明は、携帯電話装置、電池消耗防止方法、電池消耗防止プログラムおよびプログラム記録媒体に関し、携帯電話装置の電池の残量の消耗を抑える方策に関する。
【背景技術】
【０００２】
携帯電話装置の電池残量が少なくなっても、すぐに充電することができないような環境にいる場合、電池の消耗を抑えることが必要となる。このため、当該携帯電話装置への着信について、余計な通話による電池の消耗を避けるために、知らない他人からの着信には応答したくないという場面がある。しかし、従来の携帯電話装置の動作設定は、電池残量の如何によらず一律であって、携帯電話装置の電池残量が少なくなったことを利用者が確認した際に、人手で、一々、電話帳の登録外着信の拒否の設定を行ったり、発信元電話番号非通知の着信設定を拒否に変更したり、あるいは、使用しない時には電源をオフにしたり、ディスプレイの照明設定を変更し、明るさを低くしたり、照明の点灯時間を短くしたり、各種の画面表示を動画から静止画に変更したりするなどの操作を行う必要があり、利用者にとっては、煩雑な手間が発生していた。
【０００３】
かかる問題を解決するために、特許文献１の特開２００２−１９９０９２号公報「携帯電話機」においては、携帯電話装置の電池残量が少なくなったことを検知した際に、電話の着信や発信等の外部との通信を規制し、電話帳検索機能や表示機能等のその他の機能を使用可能な状態に設定するという技術が提案されている。
【先行技術文献】
【特許文献】
【０００４】
【特許文献１】特開２００２−１９９０９２号公報（第５−６頁）
【発明の概要】
【発明が解決しようとする課題】
【０００５】
前記特許文献１のような技術により、携帯電話装置の電池残量が少なくなった場合、電池の消費量が大きい外部との通信機能を抑止することにより、電池残量の消耗を抑えることができる。しかし、外部との通信機能をすべて一律抑止してしまうため、知り合いからの着信には応答したいが、知らない他人からの着信には応答したくないという場面であっても、知り合いからの着信まで不可能になってしまうという問題がある。
【０００６】
つまり、携帯電話装置の電池残量が少なくなっても、充電することができない状況にある場合には、当該携帯電話装置の利用者が知らない第三者の電話番号からの着信やあるいは発信元の電話番号を通知してこない相手からの着信などによって、当該携帯電話装置の着信音が鳴動したり、着信に応答して短時間であっても通話したりして、電池が消耗してしまうことは避け、利用者の知り合いからの着信は受け付けるようにしたい。ただし、携帯電話装置の電池残量に余裕のあるときには、第三者からの着信や発信元電話番号非通知の相手からの着信であっても、新たな顧客筋からの着信の可能性もあるので、着信を受け付けて応答するようにしたいこともある。
【０００７】
本発明は、かかる事情に鑑みてなされたものであり、電池の無駄な消耗を防ぐ携帯電話装置、電池消耗防止方法、電池消耗防止プログラムおよびプログラム記録媒体を提供することを、その目的としている。
【課題を解決するための手段】
【０００８】
前述の課題を解決するため、本発明による携帯電話装置は、次のような特徴的な構成を採用している。
【０００９】
（１）各回路部へ電力を供給する電池を備えた携帯電話装置において、各回路部のうち指定した特定回路部の動作について前記電池の残量に応じた動作をあらかじめ設定登録する電池残量別動作設定テーブルを備え、前記特定回路部を駆動する際に、当該特定回路部は前記電池残量別動作設定テーブルに設定登録された動作を行う携帯電話装置。
【発明の効果】
【００１０】
本発明の携帯電話装置、電池消耗防止方法、電池消耗防止プログラムおよびプログラム記録媒体によれば、以下のような効果を奏することができる。
【００１１】
第１の効果は、携帯電話装置の電池残量の状態により、自動的に、着信時の動作設定が変更されるので、当該携帯電話装置の利用者が、現在の電池残量を確認して、人手で、携帯電話装置の設定を変更する手間を省くことができることにある。
【００１２】
第２の効果は、携帯電話装置の電池残量に基づいて、発信元電話番号非通知着信の着信拒否や電話帳登録外の電話からの着信拒否を行う旨をあらかじめ設定登録をしておくことによって、発信元電話番号非通知着信や電話帳登録外電話着信等の望まない着信については、電池残量に応じて自動的に着信拒否を可能にし、電池残量の無駄な消耗を防ぐことができることにある。
【図面の簡単な説明】
【００１３】
【図１】本発明による携帯電話装置のブロック構成の一例を示すブロック構成図である。
【図２】図１の携帯電話装置の記憶部に格納されている電池残量別動作設定テーブルのテーブル構成の一例を示すテーブル構成図である。
【図３】図１に示す携帯電話装置の動作の一例を説明するためのフローチャートである。
【発明を実施するための形態】
【００１４】
以下、本発明による携帯電話装置、電池消耗防止方法、電池消耗防止プログラムおよびプログラム記録媒体の好適な実施例について添付図を参照して説明する。なお、以下の説明においては、本発明による携帯電話装置、電池消耗防止方法、電池消耗防止プログラムについて説明するが、かかる電池消耗防止プログラムをコンピュータにより読み取り可能な記録媒体に記録するようにしても良いことは言うまでもない。
【００１５】
（本発明の特徴）
本発明の実施形態の説明に先立って、本発明の特徴について、その概要をまず説明する。本発明は、携帯電話装置において、電池残量別に、動作設定を可能とし、電池残量に応じて、当該携帯電話装置の動作が変化することを特徴とする。
【００１６】
つまり、本発明においては、携帯電話装置が有する各種機能のうち、動作を可能とする機能に関する動作設定を電池残量別に行い、動作設定した電池残量別機能を保持することにより、電池残量にしたがって、当該携帯電話装置の動作（つまり動作可能な機能）が自動的に変化することを特徴としている。而して、利用者が、人手で、一々、設定を変更しなくても、電池の不要な消耗を抑えることを可能としている。この結果、例えば、発信元電話番号通知の着信や電話帳登録の相手からの着信のみを受け付けて着信音を鳴動させ、応答することを可能とするものの、発信元電話番号非通知の着信や電話帳登録外の第三者からの着信に対しては、着信を拒否し、着信音を鳴動させなくするという動作も可能としている。
【００１７】
（実施形態の構成例）
次に、本発明の実施形態の構成について、図１に基づいて説明する。図１は、本発明による携帯電話装置のブロック構成の一例を示すブロック構成図である。
【００１８】
図１に示す携帯電話装置は、基地局と無線信号を送受信する無線部１１、時刻を計時する時計部１２、利用者からの入力操作を受け付ける操作部１３、当該携帯電話装置全体の動作を制御する制御部１４、各種データを記憶保持する記憶部１５、各種情報を画面表示する表示部１６、当該携帯電話装置の動作手順となるプログラムを格納しているプログラム格納部１７、当該携帯電話装置の電力を供給する電池部１８を少なくとも備えて構成されている。
【００１９】
記憶部１５には、電池残量別動作設定テーブル１５１が格納されている。また、プログラム格納部１７には、制御部１４に読み出されて実行される電池消耗防止プログラム１７ａとして電池残量別動作設定機能１７１と電池残量別動作機能１７２とを少なくとも備えている。プログラム格納部１７の電池消耗防止プログラム１７ａの一つである電池残量別動作設定機能１７１は、利用者の操作により、当該携帯電話装置の機能のうち、電池部１８の電池残量に応じて当該携帯電話装置の動作可能な機能あるいは動作不可能な機能を、操作部１３から入力し、入力された内容に従い、記憶部１５の電池残量別動作設定テーブル１５１に、当該携帯電話装置の動作可能な機能あるいは動作不可能な機能を設定登録する。
【００２０】
また、プログラム格納部１７の電池消耗防止プログラム１７ａの他の一つである電池残量別動作機能１７２は、電池残量別動作設定テーブル１５１の登録内容に従い、電池部１８の現在の電池残量に応じた動作を行う。例えば、着信時の動作が電池残量別動作設定テーブル１５１に設定登録されている場合において、着信があった場合、電池残量別動作設定テーブル１５１を参照して、電池部１８の現在の電池残量に該当する動作として設定登録されている着信動作を行う。
【００２１】
図２は、図１の携帯電話装置の記憶部１５に格納されている電池残量別動作設定テーブル１５１のテーブル構成の一例を示すテーブル構成図であり、携帯電話装置の着信動作について設定登録している例を示している。図２に示すように、電池残量別動作設定テーブル１５１は、電池残量欄２１、非通知着信設定欄２２、登録外着信拒否設定欄２３を少なくとも備えて構成されている。
【００２２】
電池残量欄２１は、携帯電話装置の電池部１８の電池残量を示す欄であり、図２の例では、あらかじめ定めた残量閾値以下に低下している最小レベルと該残量閾値よりも多い最小レベル以外との２段階が設定登録されている。
【００２３】
非通知着信設定欄２２は、発信元電話番号非通知の相手からの着信時の動作を設定する欄であり、図２の例では、着信時の電池部１８の電池残量が、電池残量欄２１の最小レベルの範囲にある場合は、当該着信を拒否し、電池残量欄２１の最小レベル以外の範囲にある場合は、当該着信を許可する例を示している。
【００２４】
また、登録外着信拒否設定欄２３は、当該携帯電話装置の電話帳に登録されていない相手からの着信時の動作を設定する欄であり、図２の例では、着信時の電池部１８の電池残量が、電池残量欄２１の最小レベルの範囲にある場合は、当該着信を拒否し、電池残量欄２１の最小レベル以外の範囲にある場合は、当該着信を許可する例を示している。
【００２５】
（実施形態の動作の説明）
次に、図３のフローチャートを参照して、図１に示す携帯電話装置の動作についてその一例を説明する。図３は、図１に示す携帯電話装置の動作の一例を説明するためのフローチャートである。
【００２６】
図３のフローチャートにおいて、制御部１４は、無線部１１を介して携帯電話装置に着信があったことを検知した際に、プログラム格納部１７の電池残量別動作機能１７２を起動して、まず、現在の電池残量を電池部１８から取得する（ステップＳ３１）。さらに、記憶部１５の電池残量別動作設定テーブル１５１を取得する（ステップＳ３２）。
【００２７】
次に、電池部１８から取得した現在の電池残量のレベルが、電池残量別動作設定テーブル１５１の電池残量欄２１に設定登録されている最小レベル（あらかじめ定めた残量閾値以下の範囲）か否かを判定する（ステップＳ３３）、現在の電池残量のレベルが、電池残量別動作設定テーブル１５１の電池残量欄２１に設定登録されている最小レベルの範囲であった場合は（ステップＳ３３の“最小”の場合）、着信が発信元電話番号非通知の着信か否かを判定する（ステップＳ３４）。
【００２８】
着信が発信元電話番号非通知の着信であった場合（ステップＳ３４のＹＥＳ）、
電池残量別動作設定テーブル１５１の非通知着信設定欄２２の最小レベル側の着信動作を参照して、着信拒否とする（ステップＳ３９）。一方、着信が発信元電話番号非通知の着信ではなかった場合（ステップＳ３４のＮＯ）、着信が電話帳登録外の相手からの着信か否かを判定する（ステップＳ３５）。
【００２９】
着信が電話帳登録外の相手からの着信であった場合（ステップＳ３５のＹＥＳ）、
電池残量別動作設定テーブル１５１の登録外着信拒否設定欄２３の最小レベル側の着信動作を参照して、着信拒否とする（ステップＳ３９）。一方、着信が電話帳登録外の相手からの着信ではなかった場合（ステップＳ３５のＮＯ）、電池残量が少ない状態にあっても、着信規制の対象外の相手（知り合いの人等）からの着信であると判定して、着信を許可する（ステップＳ３８）。
【００３０】
また、ステップＳ３３において、現在の電池残量のレベルが、電池残量別動作設定テーブル１５１の電池残量欄２１に設定登録されている最小レベル以外の範囲であった場合は（ステップＳ３３の“最小ではない”の場合）、着信が発信元電話番号非通知の着信か否かを判定する（ステップＳ３６）。
【００３１】
着信が発信元電話番号非通知の着信であった場合（ステップＳ３６のＹＥＳ）、
電池残量別動作設定テーブル１５１の非通知着信設定欄２２の最小レベル以外側の着信動作を参照して、着信許可とする（ステップＳ４０）。一方、着信が発信元電話番号非通知の着信ではなかった場合（ステップＳ３６のＮＯ）、着信が電話帳登録外の相手からの着信か否かを判定する（ステップＳ３７）。
【００３２】
着信が電話帳登録外の相手からの着信であった場合（ステップＳ３７のＹＥＳ）、
電池残量別動作設定テーブル１５１の登録外着信拒否設定欄２３の最小レベル以外側の着信動作を参照して、着信許可とする（ステップＳ４０）。一方、着信が電話帳登録外の相手からの着信ではなかった場合（ステップＳ３７のＮＯ）、電池残量が少ない状態にあっても、着信規制の対象外の相手（知り合いの人等）からの着信であると判定して、着信を許可する（ステップＳ４０）。
【００３３】
かくのごとく、本実施形態においては、携帯電話装置への着信種別（発信元電話番号非通知の有無、電話帳登録の有無）と着信時の電池残量とに応じて、着信を受け付けるか拒否するかを選択することを可能としており、例えば、電池残量があらかじめ定めた残量閾値以下に低下していて、充電も直ちには実施することができないような環境にあった場合には、知り合い等の相手からの着信は許可するものの、発信元の電話番号が非通知の相手や、電話帳の登録外の相手からの着信については拒否し、電池の無駄な消耗を防止することを可能としている。
【００３４】
なお、記憶部１５の電池残量別動作設定テーブル１５１の登録内容は、利用者が任意に設定することが可能であり、電池部１８の電池残量に応じて、利用者が所望する動作を実行させるように設定することができる。例えば、電池残量が少なくなった場合には、発信元電話番号が通知される着信の場合であっても、利用者があらかじめ設定登録した特定の相手（例えば顧客）からの着信のみを許可し、他の相手からの着信を拒否するようにしても良い。あるいは、電池残量を複数の段階に区切って、それぞれの段階ごとに、着信を許可する相手と拒否する相手とを異なる状態に設定することも可能である。
【００３５】
また、前述の実施形態においては、電話着信について、着信種別と電池残量とに応じて着信許可したり着信拒否したりすることにより、電池部１８の電池の消耗を防ぐ例を示したが、携帯電話装置の各種機能のうち、利用者が選択した任意の機能（例えば、電話発呼機能やインターネット接続機能や表示部１６の表示内容や照度等）について、電池残量に応じた動作を設定することも可能である。また、電池残量についても、前述の例では、最小レベルと最小レベル以外の２段階であったが、任意の段数に切り分けて設定するようにしてもかまわない。
【００３６】
（実施形態の効果の説明）
以上に説明したように、本実施形態においては、次のような効果が得られる。
【００３７】
第１の効果は、携帯電話装置の電池残量の状態により、自動的に、着信時の動作設定が変更されるので、当該携帯電話装置の利用者が、現在の電池残量を確認して、人手で、携帯電話装置の設定を変更する手間を省くことができることにある。
【００３８】
第２の効果は、携帯電話装置の電池残量に基づいて、発信元電話番号非通知着信の着信拒否や電話帳登録外の電話からの着信拒否を行う旨をあらかじめ設定登録をしておくことによって、発信元電話番号非通知着信や電話帳登録外電話着信等の望まない着信については、電池残量に応じて自動的に着信拒否を可能にし、電池残量の無駄な消耗を防ぐことができることにある。
【００３９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記電池残量別動作設定テーブルに設定登録される前記特定回路部として、着信動作を行う回路部が少なくとも含まれている上記（１）の携帯電話装置。
（３）着信時に、当該着信時の前記電池の残量があらかじめ定めた残量閾値以下の場合は、当該着信が発信元電話番号非通知の着信であった場合、または、当該着信が電話帳未登録の相手からの着信であった場合、または、当該着信があらかじめ設定登録した特定の相手以外からの着信であった場合には、当該着信を拒否し、一方、当該着信時の前記電池の残量が前記残量閾値よりも大きい場合は、当該着信を許可する上記（２）の携帯電話装置。
（４）各回路部へ電力を供給する電池を備えた携帯電話装置の電池消耗防止方法であって、各回路部のうち指定した特定回路部の動作について前記電池の残量に応じた動作をあらかじめ設定登録する電池残量別動作設定テーブルを備え、前記特定回路部を駆動する際に、当該特定回路部は前記電池残量別動作設定テーブルに設定登録された動作を行う電池消耗防止方法。
（５）前記電池残量別動作設定テーブルに設定登録される前記特定回路部として、着信動作を行う回路部が少なくとも含まれている上記（４）の電池消耗防止方法。
（６）着信時に、当該着信時の前記電池の残量があらかじめ定めた残量閾値以下の場合は、当該着信が発信元電話番号非通知の着信であった場合、または、当該着信が電話帳未登録の相手からの着信であった場合、または、当該着信があらかじめ設定登録した特定の相手以外からの着信であった場合には、当該着信を拒否し、一方、当該着信時の前記電池の残量が前記残量閾値よりも大きい場合は、当該着信を許可する上記（５）の電池消耗防止方法。
（７）上記（４）ないし（６）のいずれかの電池消耗防止方法を、コンピュータによって実行可能なプログラムとして実施している電池消耗防止プログラム。
（８）上記（７）の電池消耗防止プログラムを、コンピュータによって読み取り可能な記録媒体に記録しているプログラム記録媒体。
【符号の説明】
【００４０】
１１      無線部
１２      時計部
１３      操作部
１４      制御部
１５      記憶部
１６      表示部
１７      プログラム格納部
１８      電池部
２１      電池残量欄
２２      非通知着信設定欄
２３      登録外着信拒否設定欄
１５１    電池残量別動作設定テーブル
１７１    電池残量別動作設定機能
１７２    電池残量別動作機能
１７ａ    電池消耗防止プログラム
【図１】
2010258553.tif 000003
【図２】
2010258553.tif 000004
【図３】
2010258553.tif 000005